(57)【要約】  本発明は、第１の実施形態において、ビデオコンテンツをディスプレイする第１の装置と、この第１の装置と分離されてビデオコンテンツと関連した電子ブックコンテンツをディスプレイする第２の装置とを有線及び/又は無線通信ネットワークを介して接続し、ビデオコンテンツと電子ブックコンテンツの再生及び/又は検索を同期化する技術を提供する。
2013509131.tif 000002
【特許請求の範囲】
【請求項１】
ビデオコンテンツをディスプレイし、かつビデオコンテンツを含む第１の装置と、前記ビデオコンテンツと関連した電子ブックコンテンツをディスプレイし、かつ前記電子ブックコンテンツを含む第２の装置を同期化する方法であって、
前記第１の装置が特定プロトコルに従って前記第２の装置と連結されるステップと、
前記第１及び第２の装置のうちいずれか一つで発生する前記ビデオコンテンツ又は電子ブックコンテンツに対する特定イベントに対応して、前記特定イベントが発生した装置によって、前記特定イベントに関するイベント情報を生成して他の一つの装置に送信するステップと、
前記特定イベントが発生した装置によって、前記生成したイベント情報に従って前記特定イベントを遂行するステップと、
前記イベント情報を受信した他の装置により、前記受信したイベント情報によって前記特定イベントを前記ビデオコンテンツと前記電子ブックコンテンツとの間の同期情報を用いて、前記特定イベントが発生した装置と同期化して遂行するステップと、を有し、
前記第１及び第２の装置は前記同期情報を含むことを特徴とするビデオコンテンツと電子ブックコンテンツの同期化方法。
【請求項２】
第１の装置に含まれたビデオコンテンツと関連した電子ブックコンテンツを含む電子ブック装置における前記電子ブックコンテンツと前記ビデオコンテンツを同期化する方法であって、
前記電子ブック装置を特定プロトコルに従って前記第１の装置に接続させるステップと、
前記第１の装置で前記ビデオコンテンツに対する特定イベントが発生する場合、前記特定イベントに関するイベント情報を前記第１の装置から受信するステップと、
前記受信したイベント情報によって前記特定イベントを前記ビデオコンテンツと前記電子ブックコンテンツとの間の同期情報を用いて前記第１の装置と同期化して遂行するステップと、
を有することを特徴とするビデオコンテンツと電子ブックコンテンツの同期化方法。
【請求項３】
第１の装置に含まれるビデオコンテンツと関連した電子ブックコンテンツを含む電子ブック装置における前記電子ブックコンテンツと前記ビデオコンテンツを同期化する方法であって、
前記電子ブック装置を特定プロトコルに従って前記第１の装置に接続させるステップと、
前記電子ブック装置で前記電子ブックコンテンツに対する特定イベントが発生する場合、前記特定イベントに関するイベント情報を生成して前記第１の装置に送信するステップと、
前記イベント情報によって前記特定イベントを前記ビデオコンテンツと前記電子ブックコンテンツとの間の同期情報を用いて前記第１の装置と同期化して遂行するステップと、
を有することを特徴とするビデオコンテンツと電子ブックコンテンツの同期化方法。
【請求項４】
前記同期情報は、前記ビデオコンテンツのフレームと前記フレームに対応する前記電子ブックコンテンツのページ又はライン情報を含むことを特徴とする請求項１に記載のビデオコンテンツと電子ブックコンテンツの同期化方法。
【請求項５】
前記特定イベントが前記第１の装置で発生し、前記ビデオコンテンツの特定フレームに対する再生イベントである場合、前記イベント情報は、前記特定フレームに関する情報と、前記特定フレームの再生時間情報のうち少なくとも一つを含むことを特徴とする請求項１に記載のビデオコンテンツと電子ブックコンテンツの同期化方法。
【請求項６】
前記特定イベントが前記第１の装置で発生し、前記ビデオコンテンツの特定フレームに対する検索イベントである場合、前記イベント情報は、前記特定フレームに関する情報を含み、前記第２の装置は、前記同期情報を用いて、前記特定フレームに対応する前記電子ブックコンテンツの特定部分をハイライト表示することを特徴とする請求項１に記載のビデオコンテンツと電子ブックコンテンツの同期化方法。
【請求項７】
前記特定イベントが前記第２の装置で発生し、前記電子ブックコンテンツの特定部分に対する検索イベントである場合、前記イベント情報は、前記電子ブックコンテンツの特定部分に関する情報を含むことを特徴とする請求項１に記載のビデオコンテンツと電子ブックコンテンツの同期化方法。
【請求項８】
前記同期情報は、前記ビデオコンテンツのフレームと、前記フレームに対応する前記電子ブックコンテンツのページ又はライン情報とを含むことを特徴とする請求項２に記載のビデオコンテンツと電子ブックコンテンツの同期化方法。
【請求項９】
前記特定イベントが前記ビデオコンテンツの特定フレームに対する再生イベントである場合、前記イベント情報は、前記特定フレームに関する情報と前記特定フレームの再生時間情報のうち少なくとも一つを含むことを特徴とする請求項２に記載のビデオコンテンツと電子ブックコンテンツの同期化方法。
【請求項１０】
前記特定イベントが前記ビデオコンテンツの特定フレームに対する検索イベントである場合、前記イベント情報は前記特定フレームに関する情報を含み、前記電子ブック装置は、前記同期情報を用いて前記特定フレームに対応する前記電子ブックコンテンツの特定部分をハイライト表示することを特徴とする請求項２に記載のビデオコンテンツと電子ブックコンテンツの同期化方法。
【請求項１１】
前記特定イベントが前記電子ブックコンテンツの特定部分に対する検索イベントである場合、前記イベント情報は、前記電子ブックコンテンツの特定部分に関する情報を含むことを特徴とする請求項３に記載のビデオコンテンツと電子ブックコンテンツの同期化方法。
【請求項１２】
ビデオコンテンツをディスプレイし、かつ前記ビデオコンテンツを含む第１の装置と、前記ビデオコンテンツと関連した電子ブックコンテンツをディスプレイし、かつ前記電子ブックコンテンツを含む第２の装置を同期化するシステムであって、
特定プロトコルに従って相互に接続され、前記第１及び前記第２の装置のうちいずれか一つで前記ビデオコンテンツ又は前記電子ブックコンテンツに対する特定イベントが発生する場合、前記発生した特定イベントに関するイベント情報を生成して他の装置に送信し、前記生成されたイベント情報によって前記特定イベントを遂行する前記第１及び第２の装置と、
前記受信したイベント情報によって前記特定イベントを前記ビデオコンテンツと前記電子ブックコンテンツとの間の同期情報を用いて、前記特定イベントが発生した装置と同期化して遂行する前記他の装置と、を含み、
前記第１及び前記第２の装置は前記同期情報を有することを特徴とするビデオコンテンツと電子ブックコンテンツの同期化システム。
【請求項１３】
前記同期情報は、前記ビデオコンテンツのフレームと前記フレームに対応する前記電子ブックコンテンツのページ又はライン情報を含むことを特徴とする請求項１２に記載のビデオコンテンツと電子ブックコンテンツの同期化システム。
【請求項１４】
前記特定イベントが前記第１の装置で発生し、前記ビデオコンテンツの特定フレームに対する再生イベントである場合、前記イベント情報は、前記特定フレームに関する情報と、前記特定フレームの再生時間情報のうち少なくとも一つを含むことを特徴とする請求項１２に記載のビデオコンテンツと電子ブックコンテンツの同期化システム。
【請求項１５】
前記特定イベントが前記第１の装置で発生し、前記ビデオコンテンツの特定フレームに対する検索イベントである場合、前記イベント情報は、前記特定フレームに関する情報を含み、前記第２の装置は、前記同期情報を用いて、前記特定フレームに対応する前記電子ブックコンテンツの特定部分をハイライト表示することを特徴とする請求項１２に記載のビデオコンテンツと電子ブックコンテンツの同期化システム。
【請求項１６】
前記特定イベントが前記第２の装置で発生し、前記電子ブックコンテンツの特定部分に対する検索イベントである場合、前記イベント情報は、前記電子ブックコンテンツの特定部分に関する情報を含むことを特徴とする請求項１２に記載のビデオコンテンツと電子ブックコンテンツの同期化システム。
【請求項１７】
第１の装置に含まれ、電子ブックコンテンツと関連したビデオコンテンツと、電子ブックコンテンツを同期化する電子ブック装置であって、
前記特定イベントが第１の装置で発生する場合、前記第１の装置により生成される前記ビデオコンテンツに対する特定イベントに関するイベント情報を受信する送受信部と、
前記電子ブックコンテンツと、前記ビデオコンテンツと前記電子ブックコンテンツとの間の同期情報とを格納する格納部と、
特定プロトコルに従って前記送受信部を通じて前記電子ブック装置を前記第１の装置に接続し、前記受信したイベント情報によって前記特定イベントを前記同期情報を用いて前記第１の装置と同期化して遂行する制御部と、
を含むことを特徴とする電子ブック装置。
【請求項１８】
前記同期情報は、前記ビデオコンテンツのフレームと、前記フレームに対応する前記電子ブックコンテンツのページ又はライン情報とを含むことを特徴とする請求項１７に記載の電子ブック装置。
【請求項１９】
前記特定イベントが前記ビデオコンテンツの特定フレームに対する再生イベントである場合、前記イベント情報は、前記特定フレームに関する情報と前記特定フレームの再生時間情報のうち少なくとも一つを含むことを特徴とする請求項１７に記載の電子ブック装置。
【請求項２０】
前記特定イベントが前記ビデオコンテンツの特定フレームに対する検索イベントである場合、前記イベント情報は前記特定フレームに関する情報を含み、前記電子ブック装置は、前記同期情報を用いて前記特定フレームに対応する前記電子ブックコンテンツの特定部分をハイライト表示することを特徴とする請求項１７に記載の電子ブック装置。
【請求項２１】
第１の装置に含まれ、電子ブックコンテンツに関連したビデオコンテンツと、前記電子ブックコンテンツを同期化する電子ブック装置であって、
前記電子ブックコンテンツと、前記ビデオコンテンツと前記電子ブックコンテンツとの間の同期情報を格納する格納部と、
特定プロトコルに従って前記電子ブック装置を前記第１の装置に接続し、前記電子ブック装置で前記電子ブックコンテンツに対する特定イベントが発生する場合、前記特定イベントに関するイベント情報を生成し、前記生成したイベント情報によって前記特定イベントを前記同期情報を用いて前記第１の装置と同期化して遂行する制御部と、
前記イベント情報を前記第１の装置に送信する送受信部と、
を含むことを特徴とする電子ブック装置。
【請求項２２】
前記特定イベントが前記電子ブックコンテンツの特定部分に対する検索イベントである場合、前記イベント情報は、前記電子ブックコンテンツの特定部分に関する情報を含むことを特徴とする請求項２１に記載の電子ブック装置。
【発明の詳細な説明】
【技術分野】
【０００１】
本発明は電子ブックに関して、より詳細には、ビデオコンテンツと電子ブックコンテンツを同期化する装置及び方法に関するものである。
【背景技術】
【０００２】
インターネットとデジタル技術の発展によって、電子ブック(E-book)は、従来の出版された紙書籍を代替する新たな代案として開発された。電子ブックの技術は、端末にテキストを電子形態で格納し、ユーザーが所望する場合に端末で読むことを可能にする。すなわち、電子ブックは、一般的に本のコンテンツをデジタル形態の情報にプロセッシングし、記録媒体にデジタルコンテンツ情報を保存した出版物を意味する。電子ブックは、Ｅブック、Ｅテキスト、オンラインブック、及びファイルブックのような多様な名称として呼ばれている。
【０００３】
電子ブックは、大きくて重い紙の本を所持しなくても、携帯用電子ブック端末機を通じてユーザーが様々な本を読むことができるような携帯性と便利性のため、従来の紙本の代わりに、その使用範囲が着実に成長することが期待されてきている。また、電子ブックは、既存の出版された紙の本に比べて、販売の単純化、在庫の節減、多様なコンテンツの出力、及びコンテンツの格納/管理の効率性に寄与している。
【０００４】
さらに、マルチメディアコンテンツにリンクされた場合、電子ブックは、従来のテキスト中心の紙の本より一層多様な種類の情報を包含することができる。
したがって、電子ブックの利用をより有効にするために、マルチメディアコンテンツにテキスト中心の電子ブックコンテンツをリンクできるコンバージェンス(convergence)技術が要求される。この電子ブック分野では、コンバージェンス技術は、例えば、マルチメディアコンテンツの代表的な例であるビデオコンテンツと電子ブックコンテンツを連結してディスプレイするための同期化技術を必要とする。
【発明の概要】
【発明が解決しようとする課題】
【０００５】
したがって、上記のような従来技術の問題点を解決するために、本発明の目的は、マルチメディアコンテンツと電子ブックコンテンツを同期化する方法及び装置を提供することにある。
【０００６】
本発明の他の目的は、ビデオコンテンツをディスプレイする装置と電子ブックコンテンツをディスプレイする装置を同期化する方法及び装置を提供することにある。
【０００７】
また、本発明の目的は、ビデオコンテンツと電子ブックコンテンツをディスプレイできる装置におけるビデオコンテンツと電子ブックコンテンツを同期化する方法及び装置を提供することにある。
【０００８】
さらに、本発明は、ビデオコンテンツと電子ブックコンテンツを共にディスプレイできる装置における相互にビデオコンテンツと電子ブックコンテンツを同期化して検索する方法及び装置を提供することにある。
【課題を解決するための手段】
【０００９】
上記のような目的を達成するために、本発明の一態様によれば、ビデオコンテンツをディスプレイし、かつビデオコンテンツを含む第１の装置と、ビデオコンテンツと関連した電子ブックコンテンツをディスプレイし、かつ電子ブックコンテンツを含む第２の装置を同期化する方法が提供される。この同期化方法は、第１の装置が特定プロトコルに従って第２の装置と連結されるステップと、第１及び第２の装置のうちいずれか一つで発生するビデオコンテンツ又は電子ブックコンテンツに対する特定イベントに対応して、特定イベントが発生した装置によって、特定イベントに関するイベント情報を生成して他の一つの装置に送信するステップと、特定イベントが発生した装置によって、生成したイベント情報に従って特定イベントを遂行するステップと、イベント情報を受信した他の装置により、受信したイベント情報によって特定イベントをビデオコンテンツと電子ブックコンテンツとの間の同期情報を用いて、特定イベントが発生した装置と同期化して遂行するステップとを有し、第１及び第２の装置は同期情報を含む。
【００１０】
本発明の他の態様によれば、第１の装置に含まれたビデオコンテンツと関連した電子ブックコンテンツを含む電子ブック装置における電子ブックコンテンツとビデオコンテンツを同期化する方法が提供される。この同期化方法は、電子ブック装置を特定プロトコルに従って第１の装置に接続させるステップと、第１の装置でビデオコンテンツに対する特定イベントが発生する場合、特定イベントに関するイベント情報を第１の装置から受信するステップと、受信したイベント情報によって特定イベントをビデオコンテンツと電子ブックコンテンツとの間の同期情報を用いて第１の装置と同期化して遂行するステップとを有する。
【００１１】
また、本発明の他の態様によれば、第１の装置に含まれるビデオコンテンツと関連した電子ブックコンテンツを含む電子ブック装置における電子ブックコンテンツとビデオコンテンツを同期化する方法が提供される。この同期化方法は、電子ブック装置を特定プロトコルに従って第１の装置に接続させるステップと、電子ブック装置で電子ブックコンテンツに対する特定イベントが発生する場合、特定イベントに関するイベント情報を生成して第１の装置に送信するステップと、イベント情報によって特定イベントをビデオコンテンツと電子ブックコンテンツとの間の同期情報を用いて第１の装置と同期化して遂行するステップとを有する。
【００１２】
さらに、本発明の他の態様によれば、ビデオコンテンツをディスプレイし、かつビデオコンテンツを含む第１の装置と、ビデオコンテンツと関連した電子ブックコンテンツをディスプレイし、かつ電子ブックコンテンツを含む第２の装置を同期化するシステムが提供される。同期化システムは、特定プロトコルに従って相互に接続され、第１及び第２の装置のうちいずれか一つでビデオコンテンツ又は電子ブックコンテンツに対する特定イベントが発生する場合、発生した特定イベントに関するイベント情報を生成して他の装置に送信し、生成されたイベント情報によって特定イベントを遂行する第１及び第２の装置と、受信したイベント情報によって特定イベントをビデオコンテンツと電子ブックコンテンツとの間の同期情報を用いて、特定イベントが発生した装置と同期化して遂行する他の装置とを含み、第１及び第２の装置は同期情報を有する。
【００１３】
本発明の他の態様によれば、第１の装置に含まれ、電子ブックコンテンツと関連したビデオコンテンツと、電子ブックコンテンツを同期化する電子ブック装置が提供される。この電子ブック装置は、特定イベントが第１の装置で発生する場合、第１の装置により生成されるビデオコンテンツに対する特定イベントに関するイベント情報を受信する送受信部と、電子ブックコンテンツと、ビデオコンテンツと電子ブックコンテンツとの間の同期情報とを格納する格納部と、特定プロトコルに従って送受信部を通じて電子ブック装置を第１の装置に接続し、受信したイベント情報によって特定イベントを同期情報を用いて第１の装置と同期化して遂行する制御部とを含む。
【００１４】
なお、本発明の他の態様によれば、第１の装置に含まれ、電子ブックコンテンツに関連したビデオコンテンツと、電子ブックコンテンツを同期化する電子ブック装置が提供される。この電子ブック装置は、電子ブックコンテンツと、ビデオコンテンツと電子ブックコンテンツとの間の同期情報を格納する格納部と、特定プロトコルに従って電子ブック装置を第１の装置に接続し、電子ブック装置で電子ブックコンテンツに対する特定イベントが発生する場合、特定イベントに関するイベント情報を生成し、生成したイベント情報によって特定イベントを同期情報を用いて第１の装置と同期化して遂行する制御部と、イベント情報を第１の装置に送信する送受信部とを含む。
【図面の簡単な説明】
【００１５】
【図１】本発明の第１の実施形態によるシステムを示す図である。
【図２】本発明の第１の実施形態によるビデオコンテンツと電子ブックコンテンツの同期化方法を示す図である。
【図３】本発明の第１の実施形態による図２における第１の装置の動作を示す図である。
【図４】本発明の第１の実施形態による図２における第２の装置の動作を示す図である。
【図５】本発明の第１の実施形態による図２における第２の装置の構成を示す図である。
【図６】本発明の第２の実施形態によるシステムを示す図である。
【図７】本発明の第２の実施形態による電子ブック装置の構成を示す図である。
【図８】本発明の第２の実施形態による電子ブック装置でビデオコンテンツと電子ブックコンテンツの同期化方法を示す図である。
【発明を実施するための形態】
【００１６】
以下、本発明の望ましい実施形態を添付の図面を参照して詳細に説明する。
【００１７】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１８】
図面において、同一の参照番号は、同一の要素、特徴、及び構成を示すことは明らかである。
【００１９】
本発明による実施形態の詳細な説明に先立って、本発明の実施形態の基本概念について説明する。
【００２０】
本発明の第１の実施形態は、ビデオコンテンツをディスプレイする第１の装置と、この第１の装置と分離されてビデオコンテンツと関連した電子ブックコンテンツをディスプレイする第２の装置とを有線及び/又は無線通信ネットワークを介して接続し、ビデオコンテンツと電子ブックコンテンツの再生及び/又は検索を同期化する技術に関するものである。
【００２１】
本発明の第１の実施形態の動作のために必要な情報は、ビデオコンテンツと電子ブックコンテンツとの間の同期情報と、ビデオコンテンツ又は電子ブックコンテンツに関するイベント情報を含む。同期情報は、ビデオコンテンツのフレームと、電子ブックコンテンツの関連したページ情報及び/又はライン情報の対応関係を指示する情報を意味する。イベント情報は、ビデオコンテンツ又は電子ブックコンテンツに対する再生又は検索のような特定イベントを遂行するために必要な情報を意味する。例えば、ビデオコンテンツの特定フレームに対する再生イベントの場合に、このイベント情報は、ビデオコンテンツの特定フレーム番号を含むことができる。
【００２２】
本発明の第１の実施形態において、ビデオコンテンツ又は電子ブックコンテンツの再生又は検索のようなイベントが第１及び第２の装置のうちいずれか一つで発生する場合、イベントが発生した装置は、他の一つの装置にイベント情報を送信して該当イベントを遂行する。イベント情報を受信すると、この他の装置は、同期情報とイベント情報を用いてイベントを同期化して遂行することができる。
【００２３】
イベント情報は、生成されるイベントのタイプに従って異なることができる。例えば、第１の装置で発生したイベントがビデオコンテンツの特定フレームに対する再生イベントである場合、イベント情報は、特定フレームに関する情報と特定フレームの再生時点に関する情報を含むことができる。他の例として、第２の装置で発生したイベントがビデオコンテンツの特定フレームに対する検索イベントである場合、イベント情報は、特定フレームを指示する情報を含むことができる。他の例として、第２の装置で発生したイベントが電子ブックコンテンツの特定部分に対する検索イベントである場合、イベント情報は、電子ブックコンテンツの特定部分に関する情報を含むことができる。
【００２４】
本発明の第２の実施形態では、ビデオコンテンツをディスプレイする第１のディスプレイ部と、電子ブックコンテンツをディスプレイする第２のディスプレイ部を含む装置は、ビデオコンテンツと電子ブックコンテンツを同期化して再生又は検索することが可能である。また、第２の実施形態は、全体ビデオコンテンツを速く検索できる検索バー(bar)と短い区間のビデオコンテンツを精密に検索できる他の検索バーを別々に提供し、それによって、速い検索と精密な検索の両方ともに対する検索性能を向上させることができる。
【００２５】
以下に、本発明の実施形態について詳細に説明する。
【００２６】
図１は、本発明の第１の実施形態によるシステムを示す。図１を参照すると、第１の装置１０３は、ビデオコンテンツのようなマルチメディアコンテンツをディスプレイできる装置である。第２の装置１０５は、電子ブックコンテンツをディスプレイできる電子ブック装置である。サーバ１０１は、第１及び第２の装置１０３，１０５に有線又は無線で接続され、各々ビデオコンテンツ及び電子ブックコンテンツを提供する。例えば、サーバ１０１は、教育放送コンテンツを提供するサーバであり、第１の装置１０３は教育放送を受信するＴＶ又はＰＣ(Personal  Computer)であり、第２の装置１０５は電子ブック端末機であり得る。
【００２７】
リアルタイムサービスがユーザーに提供される場合に、第１及び第２の装置１０３，１０５は、サーバ１０１に接続されてリアルタイムでサーバ１０１からコンテンツを受信する。ノンリアル(non-real)タイムサービスがユーザーに提供される他の場合には、第１及び第２の装置１０３，１０５は、各々サーバ１０１から予め提供されたコンテンツをその装置内に格納し、サーバ１０１から接続されない状態でも相互に連動してマルチメディアコンテンツ及び電子ブックコンテンツをディスプレイするように構成することができる。第１及び第２の装置１０３，１０５は、必ずしもサーバ１０１から該当コンテンツを受信することが必要ではない。従って、第１及び第２の装置１０３，１０５が他の経路を通じて該当コンテンツを獲得できる場合には、サーバ１０１は、本発明の第１の実施形態に含まれないことがある。
【００２８】
図２は、本発明の第１の実施形態によるビデオコンテンツと電子ブックコンテンツの同期化方法を示す。図２を参照すると、サーバ１０１は、ビデオコンテンツと、このビデオコンテンツとそれに関連した電子ブックコンテンツとの間の同期情報をビデオコンテンツの再生可能な第１の装置１０３に提供する(ステップ２０１)。同期情報は、ビデオコンテンツのフレームと、電子ブックコンテンツのページ及び/又はライン情報との間の対応関係を示す情報を含むことができる。
【００２９】
サーバ１０１は、電子ブックコンテンツのディスプレイが可能な第２の装置１０５にビデオコンテンツと関連した電子ブックコンテンツを提供する(ステップ２０３)。その後、第１及び第２の装置１０３，１０５は、有線及び/又は無線で相互に通信するように特定の通信プロトコルを用いて接続を設定する(ステップ２０５)。この接続は、当該技術分野における通常の知識を持つ者にはよく知られているように多様な方式で設定できるため、その詳細な説明は省略する。以後、第１の装置１０３は、同期情報を設定された接続を通じて第２の装置１０５に送信する(ステップ２０７)。
【００３０】
特定イベントが第１の装置１０３に発生した場合、第１の装置１０３は、特定イベントに関するイベント情報を生成し(ステップ２０９)、この情報を第２の装置１０５に送信し(ステップ２１１)、特定のイベント情報によるイベント動作を遂行する(ステップ２１３)。第２の装置１０５は、第１の装置１０３からイベント情報を受信すると、同期情報とイベント情報を用いて第１の装置１０３と同期化してイベントを遂行する(ステップ２１５)。
【００３１】
図２の実施形態では、同期情報は、ビデオコンテンツ内でメタデータの形態(例えば、外国語ビデオコンテンツに対する字幕)で提供され得る。この場合、電子ブック端末機で遂行される動作とともに、ビデオコンテンツは、ＰＩＰ(Picture-In-Picture)の形態でビデオプレーヤーで処理されることができる。その結果、ユーザーは、ビデオプレーヤーでビデオ及びテキスト情報ともを見ることができ、電子ブック端末機でも電子ブックコンテンツを同期化してディスプレイすることができる。
【００３２】
以下、図２の変形可能な例について説明する。図２では、ビデオコンテンツの再生又は検索のイベントがビデオコンテンツをディスプレイする第１の装置１０３で発生すると仮定したが、第２の装置１０５で電子ブックコンテンツのディスプレイ又は検索イベントが発生した場合にも同一の動作が可能である。例えば、第２の装置１０５が同期情報をサーバ１０１から受信して第１の装置１０３に送信し、第２の装置１０５で電子ブックコンテンツの特定ページ又は特定単語を検索するイベントが発生した場合、第２の装置１０５は、第１の装置１０３に該当イベント情報を伝送し、第１の装置１０３は、受信されたイベント情報によって電子ブックコンテンツの特定ページ又は特定単語に該当するビデオコンテンツを同期化してディスプレイすることができる。
【００３３】
また、図２では、第１の装置１０３が同期情報を第２の装置１０５に送信すると仮定した。しかしながら、他の変形実施形態として、サーバ１０１は、第１の装置１０３を通過せずに、直接に同期情報を第２の装置１０５に送信することができる。この場合には、第１の装置１０３が第２の装置１０５に同期情報を送信するステップ２０７は、省略され得る。
【００３４】
さらに、図２では、第１及び第２の装置１０３，１０５が両方ともに同期情報を有すると仮定したが、第１の装置１０３のみが同期情報を有することもある。この場合、特定イベントが第１の装置１０３で発生した場合、第１の装置１０３は、第２の装置１０５が特定イベントを第１の装置１０３と同期化して遂行可能なようにイベント情報を生成して送信しなければならない。例えば、ビデオコンテンツの特定フレームに対する再生イベントが第１の装置１０３に発生した場合、第１の装置１０３は、その同期情報を用いてビデオコンテンツの特定フレームに対応する電子ブックコンテンツのページ情報を含むイベント情報を生成して第２の装置１０５に送信する。第２の装置１０５は、イベント情報に含まれた電子ブックコンテンツのページ情報を用いて該当ページをディスプレイする。第２の装置１０５でイベントが発生した場合にも、同一の動作は可能である。
【００３５】
以下、図２に示したイベントの実施形態について説明する。
【００３６】
イベントの一例として、ステップ２０５で、接続設定以後に所定時間内にいかなる動作も要求されない場合には、このイベントは、デフォルト(default)イベントとして定義される。デフォルトイベントが発生する場合、第１の装置１０３は、ステップ２１１で、ビデオコンテンツの再生時間情報を含むイベント情報を第２の装置１０５に送信し、ステップ２１３で再生時間でビデオコンテンツの再生を始める。一方、第２の装置１０５は、ビデオコンテンツの再生時間情報と同期情報を用いて、第１の装置１０３で再生されるビデオコンテンツと同期化して電子ブックコンテンツをディスプレイする。デフォルトイベントが定義されない場合に、所定時間内にイベントが発生しないと、第１及び第２の装置１０３，１０５は、何らの動作を遂行しないこともある。
【００３７】
イベントの他の例として、ビデオコンテンツの特定フレームの再生又は特定フレームからビデオコンテンツの再生を要求するイベントが第１の装置１０３で発生した場合、第１の装置１０３は、再生要求されたフレーム情報と再生時間情報を含むイベント情報を第２の装置１０５に送信し、第１の装置１０３は、再生時点に再生要求されたフレームの再生を始める。第２の装置１０５は、同期情報を用いて再生要求されたフレーム情報に対応する電子ブックコンテンツを再生時点で第１の装置１０３と同期化してディスプレイする。
【００３８】
イベントのさらなる例として、第１の装置１０３でビデオコンテンツの特定フレームに対する検索を要求するイベントが発生した場合、第１の装置１０３は、検索要求されたフレーム情報を含むイベント情報を第２の装置１０５に送信し、検索要求されたフレームをディスプレイする。第２の装置１０５は、検索要求されたフレーム情報と同期情報を用いて、電子ブックコンテンツを第１の装置１０３にディスプレイされるフレームと同期化してディスプレイする。
【００３９】
第２の装置１０５で遂行されるイベントは、第１の装置１０３で再生されるビデオコンテンツに該当する電子ブックコンテンツのページを自動的にめくり、あるいは所定ページ内の特定部分をハイライト表示することができる。
【００４０】
図２に示すように、第１の装置１０３でなく、第２の装置１０５で特定イベントが発生すると仮定する場合、第２の装置１０５は、特定イベントに対応するイベント情報を生成して第１の装置１０３に送信し、生成されたイベント情報によって電子ブックコンテンツに対する特定イベントをディスプレイ部で遂行する。第１の装置１０３は、同期情報と第２の装置１０５から受信したイベント情報によって、ビデオコンテンツに対するイベントを電子ブックコンテンツに対する特定イベントと同期化して遂行することができる。
【００４１】
図３は、本発明の第１の実施形態による図２の第１の装置の動作を示す。
【００４２】
第１の装置１０３は、ビデオコンテンツ及び同期情報のうち少なくとも一つをサーバ１０１から受信し(ステップ３０１)、第２の装置１０５に接続を設定し(ステップ３０３)、同期情報を第２の装置１０５に送信する(ステップ３０５)。第１の装置１０３にイベントが発生する場合(ステップ３０７)、第１の装置１０３は、第２の装置２０５が第１の装置１０３と同期化してイベントを遂行できるように、イベントに関するイベント情報を生成して第２の装置１０５に送信する(ステップ３０９)。このイベント情報を第２の装置１０５に送信した後に、第１の装置１０３は、イベント情報によって第２の装置１０５と同期化してイベントを遂行する(ステップ３１１)。
【００４３】
図４は、本発明の第１の実施形態による図２に示した第２の装置の動作を示す。
【００４４】
第２の装置１０５は、サーバ１０１からビデオコンテンツと関連した電子ブックコンテンツを受信し(ステップ４０１)、第１の装置１０３に接続を設定し(ステップ４０３)、第１の装置１０３からビデオコンテンツと電子ブックコンテンツとの間の同期情報を受信する(ステップ４０５)。第１の装置１０３からイベント情報を受信すると(ステップ４０７)、第２の装置１０５は、イベント情報とステップ４０５で受信した同期情報によってイベントに対応する動作を第１の装置１０３と同期化して遂行する(ステップ４０９)。
【００４５】
図５は、本発明の第１の実施形態による図２の第２の装置の構成を示す。図５を参照すると、第２の装置１０５は、電子ブックコンテンツをディスプレイ可能な電子ブック装置である。制御部５０３は、電子ブックコンテンツを送受信部５０５を通じてサーバ１０１から受信して格納部５０７に格納する。制御部５０３は、特定プロトコルに従って送受信部５０５を通じて第１の装置１０３に接続を設定し、第１の装置１０３から同期情報を受信して格納部５０７に格納する。また、第１の装置１０３から送受信部５０５を通じてイベント情報が受信されると、制御部５０３は、イベント情報と同期情報によって第１の装置１０３と同期化してイベント、例えばビデオコンテンツの特定フレームに対応する電子ブックコンテンツをディスプレイ部５０１にディスプレイする。
【００４６】
しかしながら、特定イベントが第２の装置１０５又は電子ブック装置で発生した場合、制御部５０３は、インタフェース部５０９を通じて特定イベントの発生を示す情報を受信し、特定イベントに対応するイベント情報を生成し、これを送受信部５０５を通じて第１の装置１０３に送信し、生成したイベント情報によって電子ブックコンテンツに対する特定イベントをディスプレイ部５０１で遂行する。
【００４７】
本発明の第２の実施形態は、ビデオコンテンツと電子ブックコンテンツを共にディスプレイできる一つの電子ブック装置に対するものである。
【００４８】
図６は、本発明の第２の実施形態によるシステムを示す。図６を参照すると、電子ブック装置６０１は、有線及び/又は無線でサーバ１０１に接続され、ビデオコンテンツ及び電子ブックコンテンツを受信でき、ビデオコンテンツをディスプレイできる第１のディスプレイ部６０３と電子ブックコンテンツをディスプレイできる第２のディスプレイ部６０５を含む。電子ブック装置６０１の詳細な構成は、下記の図７を参照して説明する。
【００４９】
図７は、本発明の第２の実施形態による電子ブック装置の構成を示す。送受信部７０１は、サーバ１０１からビデオコンテンツ、電子ブックコンテンツ、及びビデオコンテンツと電子ブックコンテンツとの間の同期情報のうち少なくとも一つを受信して制御部７０３に伝送する。制御部７０３は、ビデオコンテンツ、電子ブックコンテンツ、及び同期情報を格納部７１３に格納する。
【００５０】
インタフェース部７１１は、ユーザーによって入力されるイベントを制御部７０３に伝送する手段を意味し、その代表的な例がキーパッドである。ディスプレイ部７０５がタッチスクリーンであると、タッチスクリーンもインタフェース部７１１の構成要素となり得る。
【００５１】
制御部７０３は、インタフェース部７１１を通じて受信されるイベント情報によって、格納部７１３に格納されたビデオコンテンツと電子ブックコンテンツを同期情報を用いて同期化してディスプレイ部７０５にディスプレイする。
【００５２】
ディスプレイ部７０５は、制御部７０３の制御下に、ビデオコンテンツをディスプレイする第１のディスプレイ部６０３と、電子ブックコンテンツをディスプレイする第２のディスプレイ部６０５とを含む。第１のディスプレイ部６０３は、ビデオ検索バー７０７とテキスト/ビデオ検索バー７０９のうち少なくとも一つを含む。
【００５３】
ビデオ検索バー７０７は、ビデオコンテンツ全体を速く検索するように設定され、テキスト/ビデオ検索バー７０９は、第２のディスプレイ部６０５に現在ディスプレイされる電子ブックコンテンツの範囲内でビデオコンテンツを精密に検索するように設定することができる。
【００５４】
一例として、全体５０分の長さを有する英語会話ビデオコンテンツが第１のディスプレイ部６０３にディスプレイされ、ビデオコンテンツに対するスクリプトコンテンツが第２のディスプレイ部６０５に同期化してディスプレイされると仮定する。ユーザーは、５０分の英語会話ビデオコンテンツ全体に対して速く検索でき、５０分のうち短い時間、例えば２分の特定部分を精密に検索することができる。ユーザーは、前者の場合のように、ビデオコンテンツ全体に対して速く検索する場合にはビデオ検索バー７０７を使用し、後者の場合のように、ビデオコンテンツを精密に検索する場合にはテキスト/ビデオ検索バー７０９を使用する。
【００５５】
ユーザーがビデオ検索バー７０７を用いて全体ビデオコンテンツを速く検索する場合、ビデオ検索バー７０７のシフト位置情報が制御部７０３に伝送され、制御部７０３は、ビデオ検索バー７０７のシフト位置に対応するフレームのビデオを第１のディスプレイ部６０３にディスプレイする。同時に、制御部７０３は、同期情報を用いて第１のディスプレイ部６０３にディスプレイされたフレームに該当する電子ブックコンテンツを第２のディスプレイ部６０５に同期化してディスプレイする。
【００５６】
第２のディスプレイ部６０５にディスプレイされた電子ブックコンテンツの範囲内に該当するビデオコンテンツを検索するために、ユーザーは、テキスト/ビデオ検索バー７０９を用いてビデオコンテンツを精密に検索できる。この場合、第２のディスプレイ部６０５に電子ブックコンテンツを同期化してディスプレイする方法は、現在第２のディスプレイ部６０５にディスプレイされている他のテキストと区別するように、検索したビデオコンテンツに該当するテキストラインをハイライト表示する方法を含むことができる。
【００５７】
図８は、本発明の第２の実施形態による電子ブック装置におけるビデオコンテンツと電子ブックコンテンツの同期化方法を示す。
【００５８】
電子ブック装置は、送受信部７０１を通じてサーバ１０１から、ビデオコンテンツ、このビデオコンテンツと関連した電子ブックコンテンツ、及びビデオコンテンツと電子ブックコンテンツとの間の同期情報のうち少なくとも一つを受信し、これを制御部７０３を通じて格納部７１３に格納する(ステップ８０１)。
【００５９】
制御部７０３は、インタフェース部７１１を通じてビデオコンテンツと関連した電子ブックコンテンツに対する特定イベントが発生したか否かをモニタリングする(ステップ８０３)。その結果、特定イベントが発生した場合には、制御部７０３は、同期情報を用いてビデオコンテンツと電子ブックコンテンツに対する特定イベントを同期化して遂行する(ステップ８０５)。
【００６０】
イベントの一例として、コンテンツと同期情報が格納部７１３に格納された後に、ユーザーによっていかなる動作が要求されない場合、このイベントは、デフォルトイベントとして定義されることができる。このデフォルトイベントが発生すると、制御部７０３は、第１のディスプレイ部６０３でビデオコンテンツの再生を開始し、同期情報を用いて電子ブックコンテンツとビデオコンテンツを同期化して第２のディスプレイ部６０５にディスプレイする。デフォルトイベントが定義されずに、所定時間内にいかなるイベントも発生しない場合、制御部７０３は、いかなる動作を遂行しないこともある。
【００６１】
イベントの他の例として、インタフェース部７１１を通じてビデオコンテンツの特定部分の再生を要求するイベントが発生した場合、制御部７０３は、特定部分に該当するビデオフレーム情報と同期情報を用いて、再生要求されたビデオフレームを第１のディスプレイ部６０３にディスプレイし、この再生要求されたビデオフレームと同期化した電子ブックコンテンツを第２のディスプレイ部６０５にディスプレイする。
【００６２】
イベントのさらなる例として、ビデオ検索バー７０７を用いてビデオコンテンツを検索するイベントが発生した場合、制御部７０３は、ビデオ検索バー７０７のシフト位置情報を用いて検索要求されたビデオフレーム情報を検出し、この検出されたフレームを第１のディスプレイ部６０３にディスプレイする。また、制御部７０３は、検索要求されたフレーム情報と同期情報を用いて、第１のディスプレイ部６０３にディスプレイされるフレームに該当する電子ブックコンテンツを第２のディスプレイ部６０５に同期化してディスプレイする。このようにビデオ検索バー７０７を用いてビデオコンテンツを検索することによって、電子ブック装置は、全体ビデオコンテンツのうちユーザーの所望する部分を速く検索することができる。
【００６３】
また、テキスト/ビデオ検索バー７０９を用いてビデオコンテンツを検索するイベントが発生した場合、制御部７０３は、テキストビデオ検索バー７０９のシフト位置情報を用いて、現在第２のディスプレイ部６０５にディスプレイされた電子ブックコンテンツに該当する範囲内のビデオコンテンツを第１のディスプレイ部６０３にディスプレイする。同時に、制御部７０３は、同期情報を用いて第１のディスプレイ部６０３にディスプレイされたビデオコンテンツに該当する電子ブックコンテンツを第２のディスプレイ部６０５に同期化してディスプレイする。この場合、第２のディスプレイ部６０５で電子ブックコンテンツを同期化してディスプレイする方法は、現在第２のディスプレイ部６０５にディスプレイされる他のテキストと区別するように、精密に検索されたビデオコンテンツに該当するテキストラインをハイライト表示する方法を含むことができる。このようにテキスト/ビデオ検索バー７０９を用いて第２のディスプレイ部６０５にディスプレイされた電子ブックコンテンツ範囲内のビデオコンテンツを検索することによって、ユーザーは、所望するビデオコンテンツを精密に検索することができる。
【００６４】
以上、本発明の詳細な説明においては具体的な実施形態に関して説明したが、特許請求の範囲の記載及びこれと均等なものに基づいて定められる本発明の範囲及び精神(趣旨)を逸脱することなく、形式や細部の様々な変更が可能であることは、当該技術分野における通常の知識を持つ者には明らかである。
【図１】
2013509131.tif 000003
【図２】
2013509131.tif 000004
【図３】
2013509131.tif 000005
【図４】
2013509131.tif 000006
【図５】
2013509131.tif 000007
【図６】
2013509131.tif 000008
【図７】
2013509131.tif 000009
【図８】
2013509131.tif 000010
【国際調査報告】
2013509131.tif 000011
2013509131.tif 000012